(57)【要約】【課題】振込先をより直感的に指定することが可能な技術が提供されることが望まれる。【解決手段】地図上の位置情報と振込先情報とを対応付けて記憶する記憶部と、前記位置情報が表示制御システムに送信されるように制御する送信制御部と、前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、を備える、振込制御システムが提供される。【選択図】図１
2020140387.tif 000002
【特許請求の範囲】
【請求項１】
地図上の位置情報と振込先情報とを対応付けて記憶する記憶部と、
前記位置情報が表示制御システムに送信されるように制御する送信制御部と、
前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、
を備える、振込制御システム。
【請求項２】
前記位置情報に商品に関する情報が対応付けられている場合、前記商品に関する情報が前記表示制御システムによって表示制御される、
請求項１に記載の振込制御システム。
【請求項３】
地図上に受取場所候補を示すオブジェクトが表示され、前記受取場所候補を示すオブジェクトが選択されると、前記受取場所候補が商品の受取場所に設定される、
請求項１に記載の振込制御システム。
【請求項４】
地図上の位置情報と振込先情報とを対応付けて記憶することと、
前記位置情報が表示制御システムに送信されるように制御することと、
前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御することと、
を含む、振込制御方法。
【請求項５】
コンピュータを、
振込先情報と対応付けて記憶された地図上の位置情報が表示制御システムに送信されるように制御する送信制御部と、
前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、
を備える振込制御システムとして機能させるためのプログラム。
【請求項６】
振込先情報に対応付けられた地図上の位置情報に基づいて地図上に振込先を示すオブジェクトが利用者によって選択可能に表示されるように制御する制御部を備え、
前記制御部は、
前記利用者によって前記振込先を示すオブジェクトが選択されると、前記振込先を示すオブジェクトが選択されたことを通知する、
表示制御システム。
【請求項７】
前記制御部は、前記位置情報に商品に関する情報が対応付けられている場合、前記商品に関する情報が表示されるように制御する、
請求項６に記載の表示制御システム。
【請求項８】
前記制御部は、地図上に受取場所候補を示すオブジェクトが選択可能に表示されるように制御する、
請求項６に記載の表示制御システム。
【請求項９】
振込先情報に対応付けられた地図上の位置情報に基づいて地図上に振込先を示すオブジェクトが利用者によって選択可能に表示されるように制御することと、
前記利用者によって前記振込先を示すオブジェクトが選択されると、前記振込先を示すオブジェクトが選択されたことを通知することと、
を含む、表示制御方法。
【請求項１０】
コンピュータを、
振込先情報に対応付けられた地図上の位置情報に基づいて地図上に振込先を示すオブジェクトが利用者によって選択可能に表示されるように制御する制御部を備え、
前記制御部は、
前記利用者によって前記振込先を示すオブジェクトが選択されると、前記振込先を示すオブジェクトが選択されたことを通知する、
表示制御システムとして機能させるためのプログラム。
【発明の詳細な説明】
【技術分野】
【０００１】
本発明は、振込制御システム、振込制御方法、表示制御システム、表示制御方法およびプログラムに関する。
【背景技術】
【０００２】
近年、振込先を指定する技術として様々な技術が知られている。例えば、振込先リストまたは振込先アイコンから振込先を指定する技術が開示されている（例えば、特許文献１および特許文献２参照）。
【０００３】
その他に、地図上の店舗のアイコンを選択して、当該店舗のクーポンの発行を受ける技術が開示されている（例えば、特許文献３参照）。また、振込人の顔画像を撮影し、撮影された振込人の顔画像を受取人が確認できるようにする技術が開示されている（例えば、特許文献４参照）。また、送金人によって撮像された受取人の識別画像を受取人側の金融機関のサーバに送信し、受取人側の金融機関のサーバは、受信した受取人の識別画像が登録されていることを認証し、認証が成立すると、受取人の口座情報を送金人の端末に送信する技術が開示されている（例えば、特許文献５参照）。
【先行技術文献】
【特許文献】
【０００４】
【特許文献１】特開２００８−２１７２８８号公報
【特許文献２】特開２０１３−２０６２８５号公報
【特許文献３】特開２００５−２５６６２号公報
【特許文献４】特開２００５−２４２４５８号公報
【特許文献５】特開２０１７−１８７８４２号公報
【発明の概要】
【発明が解決しようとする課題】
【０００５】
しかしながら、振込先をより直感的に指定することが可能な技術が提供されることが望まれる。
【課題を解決するための手段】
【０００６】
上記問題を解決するために、本発明のある観点によれば、地図上の位置情報と振込先情報とを対応付けて記憶する記憶部と、前記位置情報が表示制御システムに送信されるように制御する送信制御部と、前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、を備える、振込制御システムが提供される。
【０００７】
前記位置情報に商品に関する情報が対応付けられている場合、前記商品に関する情報が前記表示制御システムによって表示制御されてもよい。
【０００８】
地図上に受取場所候補を示すオブジェクトが表示され、前記受取場所候補を示すオブジェクトが選択されると、前記受取場所候補が商品の受取場所に設定されてもよい。
【０００９】
また、本発明の別の観点によれば、地図上の位置情報と振込先情報とを対応付けて記憶することと、前記位置情報が表示制御システムに送信されるように制御することと、前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御することと、を含む、振込制御方法が提供される。
【００１０】
また、本発明の別の観点によれば、コンピュータを、振込先情報と対応付けて記憶された地図上の位置情報が表示制御システムに送信されるように制御する送信制御部と、前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、を備える振込制御システムとして機能させるためのプログラムが提供される。
【００１１】
また、本発明の別の観点によれば、振込先情報に対応付けられた地図上の位置情報に基づいて地図上に振込先を示すオブジェクトが利用者によって選択可能に表示されるように制御する制御部を備え、前記制御部は、前記利用者によって前記振込先を示すオブジェクトが選択されると、前記振込先を示すオブジェクトが選択されたことを通知する、表示制御システムが提供される。
【００１２】
前記制御部は、前記位置情報に商品に関する情報が対応付けられている場合、前記商品に関する情報が表示されるように制御してもよい。
【００１３】
前記制御部は、地図上に受取場所候補を示すオブジェクトが選択可能に表示されるように制御してもよい。
【００１４】
また、本発明の別の観点によれば、振込先情報に対応付けられた地図上の位置情報に基づいて地図上に振込先を示すオブジェクトが利用者によって選択可能に表示されるように制御することと、前記利用者によって前記振込先を示すオブジェクトが選択されると、前記振込先を示すオブジェクトが選択されたことを通知することと、を含む、表示制御方法が提供される。
【００１５】
また、本発明の別の観点によれば、コンピュータを、振込先情報に対応付けられた地図上の位置情報に基づいて地図上に振込先を示すオブジェクトが利用者によって選択可能に表示されるように制御する制御部を備え、前記制御部は、前記利用者によって前記振込先を示すオブジェクトが選択されると、前記振込先を示すオブジェクトが選択されたことを通知する、表示制御システムとして機能させるためのプログラムが提供される。
【発明の効果】
【００１６】
以上説明したように本発明によれば、振込先をより直感的に指定することが可能な技術が提供されることが可能となる。
【図面の簡単な説明】
【００１７】
【図１】本発明の実施形態に係るシステムの構成例を示す図である。
【図２】本発明の実施形態に係る購入者端末の機能構成例を示すブロック図である。
【図３】本発明の実施形態に係る販売者端末の機能構成例を示すブロック図である。
【図４】本発明の実施形態に係る地図振込管理システムの機能構成例を示すブロック図である。
【図５】振込元口座情報の登録処理の流れを示すシーケンス図である。
【図６】購入者情報の構成例を示す図である。
【図７】振込先地図座標および振込先口座情報の登録処理の流れを示すシーケンス図である。
【図８】販売者情報の構成例を示す図である。
【図９】振込処理の流れを示すシーケンス図である。
【図１０】検索画面の例を示す図である。
【図１１】商品選択画面の例を示す図である。
【図１２】受取場所選択画面の例を示す図である。
【図１３】購入履歴の構成例を示す図である。
【図１４】振込完了通知処理の流れを示すシーケンス図である。
【図１５】商品の受取処理の流れを示すシーケンス図である。
【図１６】本発明の実施形態に係る地図振込管理システムの例としての情報処理装置のハードウェア構成を示す図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書および図面において、実質的に同一の機能構成を有する複数の構成要素を、同一の符号の後に異なる数字を付して区別する場合がある。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する場合がある。ただし、異なる実施形態の類似する構成要素等の各々を特に区別する必要がない場合、同一符号のみを付する。
【００２０】
（１．実施形態の詳細）
続いて、本発明の実施形態の詳細について説明する。
【００２１】
（１−１．システムの構成例）
まず、本発明の実施形態に係るシステムの構成例について説明する。図１は、本発明の実施形態に係るシステムの構成例を示す図である。本発明の実施形態に係るシステム１は、購入者端末１０と、販売者端末２０と、地図振込管理システム３０と、銀行システム４０とを有する。購入者端末１０、販売者端末２０、地図振込管理システム３０および銀行システム４０は、ネットワーク５０を介して互いに通信可能に構成されている。ネットワーク５０は、インターネットを含んでよい。なお、本発明の実施形態では、販売者から購入者に商品が販売される場合を想定するが、サービスも商品に含まれ得る。
【００２２】
購入者端末１０は、利用者の一例としての購入者によって利用される端末である。ただし、購入者は、商品の購入につながり得る行為をする者であり、実際に商品を購入するか否かは問われない。例えば、購入者端末１０は、地図アプリケーションを実行しており、地図アプリケーションの機能によって地図を表示可能である。その他、購入者端末１０は、画面表示用のプログラムおよび各種の操作画面用のプログラムなどを実行し得る。本発明の実施形態では、購入者端末１０がスマートフォンである場合を主に想定する。しかし、購入者端末１０は、スマートフォン以外の端末であってもよい。例えば、購入者端末１０は、タブレット端末であってもよいし、ＰＣ（Ｐｅｒｓｏｎａｌ  Ｃｏｍｐｕｔｅｒ）であってもよいし、その他の機器であってもよい。なお、購入者端末１０は、表示制御システムの一例として機能し得る。
【００２３】
販売者端末２０は、利用者の一例としての販売者によって利用される端末である。ただし、購入者は、商品の販売につながり得る行為をする者であり、実際に商品を販売するか否かは問われない。例えば、販売者端末２０は、地図アプリケーションを実行しており、地図アプリケーションの機能によって地図を表示可能である。その他、販売者端末２０は、画面表示用のプログラムおよび各種の操作画面用のプログラムなどを実行し得る。本発明の実施形態では、販売者端末２０がスマートフォンである場合を主に想定する。しかし、販売者端末２０は、スマートフォン以外の端末であってもよい。例えば、販売者端末２０は、タブレット端末であってもよいし、ＰＣであってもよいし、その他の機器であってもよい。
【００２４】
地図振込管理システム３０は、地図を用いた振込を管理するシステムである。地図振込管理システム３０は、購入者および販売者それぞれの認証機能、口座情報（振込元口座情報および振込先口座情報）の登録機能または更新機能、商品情報（商品ＩＤおよび商品関連情報）の登録および検索、購入処理（振込制御）の実行などといった機能を有する。かかる機能は、プログラムの実行によって実現され得る。例えば、地図振込管理システム３０は、コンピュータ（例えば、サーバなど）によって実現され得る。なお、地図振込管理システム３０は、振込制御システムの一例として機能し得る。
【００２５】
銀行システム４０は、一般的な銀行のシステムである。銀行システム４０は、顧客ごとの口座情報を管理している。また、銀行システム４０は、振込要求に従って振込（振込元口座から振込先口座への資金移動）を実行することが可能である。かかる銀行システム４０が有する機能は、プログラムの実行によって実現され得る。例えば、銀行システム４０は、コンピュータ（例えば、サーバなど）によって実現され得る。
【００２６】
（購入者端末１０）
続いて、本発明の実施形態に係る購入者端末１０の機能構成例について説明する。図２は、本発明の実施形態に係る購入者端末１０の機能構成例を示すブロック図である。図２に示したように、本発明の実施形態に係る購入者端末１０は、制御部１１０、操作部１２０、記憶部１３０、通信部１４０および表示部１５０を備える。
【００２７】
制御部１１０は、購入者端末１０の動作全体を制御する機能を有する。制御部１１０は、専用のハードウェアによって構成されてもよいし、購入者端末１０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。プログラムの一例として、制御部１１０は、地図アプリケーション１３１を実行し得る。
【００２８】
操作部１２０は、購入者から入力される操作を受け付ける。また、操作部１２０は、購入者から受け付けた操作を制御部１１０に提供する。本発明の実施形態においては、操作部１２０がタッチパネルである場合を主に想定するが、操作部１２０はタッチパネル以外の入力装置（例えば、キーボードおよびマウスなど）であってもよい。
【００２９】
記憶部１３０は、制御部１１０を動作させるためのプログラムやデータを記憶することができる。プログラムの一例として、地図アプリケーション１３１を記憶している。また、記憶部１３０は、制御部１１０の動作の過程で必要となる各種データを一時的に記憶することもできる。
【００３０】
通信部１４０は、ネットワークを介して他の装置との間で各種情報を送受信するための通信インタフェースである。例えば、通信部１４０は、ネットワークを介して地図振込管理システム３０に情報を送信する送信部として機能し得る。また、通信部１４０は、通信部１４０は、ネットワークを介して地図振込管理システム３０から情報を受信する受信部として機能し得る。
【００３１】
表示部１５０は、制御部１１０による制御に従って表示を行う機能を有する。例えば、表示部１５０は、制御部１１０による制御に従って、地図を表示することが可能である。ここで、表示部１５０の形態は特に限定されない。例えば、表示部１５０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの表示装置であってよい。
【００３２】
（販売者端末２０）
続いて、本発明の実施形態に係る販売者端末２０の機能構成例について説明する。図３は、本発明の実施形態に係る販売者端末２０の機能構成例を示すブロック図である。図３に示したように、本発明の実施形態に係る販売者端末２０は、制御部２１０、操作部２２０、記憶部２３０、通信部２４０および表示部２５０を備える。
【００３３】
制御部２１０は、販売者端末２０の動作全体を制御する機能を有する。制御部２１０は、専用のハードウェアによって構成されてもよいし、販売者端末２０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。プログラムの一例として、制御部２１０は、地図アプリケーション２３１を実行し得る。
【００３４】
操作部２２０は、販売者から入力される操作を受け付ける。また、操作部２２０は、販売者から受け付けた操作を制御部２１０に提供する。本発明の実施形態においては、操作部２２０がタッチパネルである場合を主に想定するが、操作部２２０はタッチパネル以外の入力装置（例えば、キーボードおよびマウスなど）であってもよい。
【００３５】
記憶部２３０は、制御部２１０を動作させるためのプログラムやデータを記憶することができる。プログラムの一例として、地図アプリケーション２３１を記憶している。また、記憶部２３０は、制御部２１０の動作の過程で必要となる各種データを一時的に記憶することもできる。
【００３６】
通信部２４０は、ネットワークを介して他の装置との間で各種情報を送受信するための通信インタフェースである。例えば、通信部２４０は、ネットワークを介して地図振込管理システム３０に情報を送信する送信部として機能し得る。また、通信部２４０は、ネットワークを介して地図振込管理システム３０から情報を受信する受信部として機能し得る。
【００３７】
表示部２５０は、制御部２１０による制御に従って表示を行う機能を有する。例えば、表示部２５０は、制御部２１０による制御に従って、地図を表示することが可能である。ここで、表示部２５０の形態は特に限定されない。例えば、表示部２５０は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプなどの表示装置であってよい。
【００３８】
（地図振込管理システム３０）
続いて、本発明の実施形態に係る地図振込管理システム３０の機能構成例について説明する。図４は、本発明の実施形態に係る地図振込管理システム３０の機能構成例を示すブロック図である。図４に示したように、本発明の実施形態に係る地図振込管理システム３０は、制御部３１０、記憶部３２０および通信部３３０を備える。
【００３９】
制御部３１０は、地図振込管理システム３０の動作全体を制御する機能を有する。制御部３１０は、専用のハードウェアによって構成されてもよいし、地図振込管理システム３０に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。制御部３１０は、取得部３１１、処理部３１２、送信制御部３１３および実行制御部３１４を有する。これらの機能ブロックの詳細については、後に説明する。
【００４０】
記憶部３２０は、制御部３１０を動作させるためのプログラムやデータを記憶することができる。具体的に、記憶部３２０は、データの例として、購入者情報３２１、販売者情報３２２および購入履歴３２３を記憶する。購入者情報３２１、販売者情報３２２および購入履歴３２３の詳細については、後に説明する。また、記憶部１３０は、制御部１１０の動作の過程で必要となる各種データを一時的に記憶することもできる。
【００４１】
通信部３３０は、ネットワークを介して他の装置との間で各種情報を送受信するための通信インタフェースである。例えば、通信部３３０は、ネットワークを介して購入者端末１０および販売者端末２０に情報を送信する送信部として機能し得る。また、通信部３３０は、ネットワークを介して購入者端末１０および販売者端末２０から送信された情報を受信する受信部として機能し得る。
【００４２】
（１−２．システムの動作例）
続いて、本発明の実施形態に係るシステムの動作例について説明する。以下では、本発明の実施形態に係るシステムの動作例として、「振込元口座情報の登録処理」「振込先地図情報および振込先口座情報の登録処理」「振込処理」「振込完了通知処理」「商品の受取処理」を順に説明する。
【００４３】
（振込元口座情報の登録処理）
図５は、振込元口座情報の登録処理の流れを示すシーケンス図である。購入者端末１０において、地図アプリケーションが起動されると、表示部２５０は、地図アプリケーションの画面を表示する。図５に示すように、購入者は、地図アプリケーションにログインして、操作部１２０を介して振込元口座情報を入力する（Ｓ１１）。振込元口座情報は、振込元情報の一例に該当し得る。振込元口座情報には、銀行名、支店名、口座番号、口座名義などが含まれ得る。制御部１１０は、振込元口座情報を受け取ると、振込元口座情報の登録要求（振込元口座情報を含む）が通信部１４０によって地図振込管理システム３０に送信されるように制御する（Ｓ１２）。
【００４４】
地図振込管理システム３０において、取得部３１１は、通信部３３０を介して振込元口座情報の登録要求を取得すると、処理部３１２は、登録要求から振込元口座情報を取得する。そして、送信制御部３１３は、口座情報の確認要求（振込元口座情報を口座情報として含む）が通信部１４０によって銀行システム４０に送信されるように制御する（Ｓ１３）。銀行システム４０は、口座情報の確認要求を受信すると、確認要求から口座情報を取得し、取得した口座情報が顧客の口座情報として登録されているか否かを確認する。そして、銀行システム４０は、確認結果を地図振込管理システム３０に送信する。
【００４５】
地図振込管理システム３０において、取得部３１１は、通信部３３０を介して確認結果を取得すると、処理部３１２は、確認結果によって、振込元口座情報が顧客の口座情報として登録されていることが示される場合、振込元口座情報と購入者ＩＤとを対応付けて購入者情報３２１に追加する（Ｓ１５）。図６は、購入者情報３２１の構成例を示す図である。図６に示されるように、購入者情報３２１は、振込元口座情報と購入者ＩＤとが対応付けられて構成されている。
【００４６】
（振込先地図座標および振込先口座情報の登録処理）
図７は、振込先地図座標および振込先口座情報の登録処理の流れを示すシーケンス図である。販売者端末２０において、地図アプリケーションが起動されると、表示部１５０は、地図アプリケーションの画面を表示する。図７に示すように、販売者は、地図アプリケーションにログインして、操作部１２０を介して振込先地図座標（地図上における振込先の座標）と共に、振込先口座情報を入力する（Ｓ２１）。振込先地図座標は、地図上の位置情報に該当し得る。また、振込先口座情報は、振込先情報の一例に該当し得る。振込先口座情報には、銀行名、支店名、口座番号、口座名義などが含まれ得る。
【００４７】
なお、販売者は、振込先地図座標に加えて、商品の受取場所候補も入力可能であってよい。例えば、振込先地図座標および商品の受取場所候補は、住所によって入力可能であってもよいが、地図上での選択によって入力可能であってもよい。制御部２１０は、振込先地図座標および振込先口座情報を受け取ると、振込先地図座標および振込先口座情報の登録要求（振込先地図座標および振込先口座情報を含む）が通信部２４０によって地図振込管理システム３０に送信されるように制御する（Ｓ２２）。商品の受取場所候補が入力された場合には、制御部２１０は、商品の受取場所候補も通信部２４０によって地図振込管理システム３０に送信されるように制御可能である。
【００４８】
地図振込管理システム３０において、取得部３１１は、通信部３３０を介して振込先地図座標および振込先口座情報の登録要求を取得すると、処理部３１２は、登録要求から振込先口座情報を取得する。そして、送信制御部３１３は、口座情報の確認要求（振込先口座情報を口座情報として含む）が通信部３４０によって銀行システム４０に送信されるように制御する（Ｓ２３）。銀行システム４０は、口座情報の確認要求を受信すると、確認要求から口座情報を取得し、取得した口座情報が顧客の口座情報として登録されているか否かを確認する。そして、銀行システム４０は、確認結果を地図振込管理システム３０に送信する。
【００４９】
地図振込管理システム３０において、取得部３１１は、通信部３３０を介して確認結果を取得すると（Ｓ２４）、処理部３１２は、確認結果によって、振込先口座情報が顧客の口座情報として登録されていることが示される場合、振込先口座情報と振込先地図座標と販売者ＩＤとを対応付けて販売者情報３２２に追加する（Ｓ２５）。処理部３１２は、商品の受取場所候補が入力された場合には、商品の受取場所候補も登録可能である。
【００５０】
図８は、販売者情報３２２の構成例を示す図である。図８に示されるように、販売者情報３２２は、振込先口座情報と振込先地図座標と販売者ＩＤとが対応付けられて構成されている。なお、図８を参照すると、振込先口座情報と振込先地図座標と販売者ＩＤとに、商品ＩＤと商品関連情報（商品に関する情報）とが対応付けられている。商品ＩＤと商品関連情報とは、販売者によって入力された場合に、（その販売者に対応する）販売者ＩＤと振込先口座情報と振込先地図座標とに対応付けられる。
【００５１】
（振込処理）
図９は、振込処理の流れを示すシーケンス図である。図９に示されるように、購入者は、地図アプリケーションにログインして、操作部１２０を介して（振込先を示すオブジェクトの選択によって）振込先を指定し、振込金額を入力する。このとき、購入者は、指定した振込先に写真および文字情報を添付することも可能である。写真には何が写っていてもよい。一例として、写真には、商品を受け取りに行く人物（例えば、購入者）が写っていてもよい。そうすれば、販売者は写真を見ることによって、どのような人物が商品の受け取りに来るのかをあらかじめ把握することができる。また、文字情報にはどのような情報が含まれていてもよい。一例として、文字情報には、商品に対する注文（例えば、あらかじめ商品から外しておいて欲しい部品の指定など）が含まれていてもよい。そうすれば、販売者は文字情報を見ることによって、購入者が望むように商品をあらかじめカスタマイズすることができる。
【００５２】
また、商品の受取場所として振込先とは異なる場所を地図上で指定することも可能である（Ｓ３１）。以下では、振込先および商品の受取場所を指定する手法の一例を説明する。ただし、振込先および商品の受取場所を指定する手法は、特定の手法に限定されない。
【００５３】
例えば、購入者が商品を検索しようとし、購入者端末１０において購入者によって商品の検索画面が起動されると、制御部１１０は、検索画面を表示部１５０に表示させる。図１０は、検索画面の例を示す図である。図１０に示されるように、検索画面１５１は、品名入力欄１５１１および検索ボタン１５１２を含んでいる。購入者によって、品名入力欄１５１１に検索したい品名が入力され、検索ボタン１５１２が選択されると、地図振込管理システム３０において、処理部３１２は、購入者から入力された品名に属する商品名が検索される。商品名は、商品関連情報に含まれている。
【００５４】
ここでは、一例として、品名として「水」が入力された場合を想定する。送信制御部３１３は、商品名の検索によって商品名を取得すると、取得した商品名を含んだ商品関連情報と（商品関連情報に対応する）振込先地図座標とが通信部３３０を介して購入者端末１０に送信されるように制御する。このとき、送信制御部３１３によって、受取場所候補も通信部３３０を介して購入者端末１０に送信されてよい。
【００５５】
購入者端末１０において、制御部１１０は、通信部１４０を介して商品関連情報と振込先地図座標とを取得する。そして、制御部１１０は、地図アプリケーションを起動し、振込先地図座標に基づき地図上に振込先を示すオブジェクトが表示されるように表示部１５０を制御する。このとき、制御部１１０は、振込先地図座標に対応付けられている商品関連情報が表示されるように制御する。さらに、制御部１１０は、地図上に受取場所候補を示すオブジェクトが表示されるように制御することも可能である。
【００５６】
例えば、表示部１５０によって商品選択画面が表示される場合、振込先を示すオブジェクトおよび商品関連情報は、商品選択画面に含まれてよい。図１１は、商品選択画面の例を示す図である。ここでは、検索画面１５１（図１０）において、品名として「水」が入力された場合に、品名「水」に属する商品名として「つめたい水」「おいしい水」が取得された場合を想定している。
【００５７】
図１１に示されるように、商品選択画面１５２には、１つ目の振込先地図座標に基づいて振込先を示すオブジェクト１５２１−１が表示されている。振込先を示すオブジェクト１５２１−１は、商品名「おいしい水」を含んだ商品関連情報を含んでいる。また、商品選択画面１５２には、２つ目の振込先地図座標に基づいて振込先を示すオブジェクト１５２１−２が表示されている。振込先を示すオブジェクト１５２１−２は、商品名「つめたい水」を含んだ商品関連情報を含んでいる。
【００５８】
ここでは、振込先を示すオブジェクト１５２１−１および振込先を示すオブジェクト１５２１−２それぞれに、商品関連情報が含まれている例が示されている。しかし、振込先を示すオブジェクト１５２１−１および振込先を示すオブジェクト１５２１−２それぞれには、商品関連情報が含まれていなくてもよい。図１１を参照すると、商品選択画面１５２には、各商品が代金の振込先の場所を指していることが表示されている。また、商品選択画面１５２には、商品の選択を促すメッセージが表示されている。
【００５９】
なお、商品名「おいしい水」を含んだ商品関連情報は、商品名「おいしい水」の他、その商品を販売する店名、その商品の金額、その商品の在庫数、直近の購入者数、店主のプロフィール、その商品に対するレビュー、その商品の受取場所に関する情報、その商品に関する画像１５２２−１が含まれている。また、商品名「つめたい水」を含んだ商品関連情報は、商品名「つめたい水」の他、その商品を販売する店名、その商品の金額、その商品の在庫数、直近の購入者数、店主のプロフィール、その商品に対するレビュー、その商品の受取場所に関する情報、その商品に関する画像１５２２−１が含まれている。
【００６０】
商品名「つめたい水」に対応する受取場所に関する情報には、受取場所が振込先の場所と同じであることが表示されている。例えば、購入者によって振込先を示すオブジェクト１５２１−１が選択された場合、表示部１５０によって、あらかじめ登録されている受取場所候補から受取場所を選択するための受取場所選択画面が表示されてよい。一方、商品名「おいしい水」に対応する受取場所に関する情報には、幾つかの中から受取場所を選択できることが示されている。例えば、購入者によって振込先を示すオブジェクト１５２１−２が選択された場合、受取場所には、２つ目の振込先地図座標が処理部３１２によって設定されてよい。
【００６１】
図１２は、受取場所選択画面の例を示す図である。受取場所選択画面１５３には、１つ目の受取場所候補を示すオブジェクト１５３１−１および２つ目の受取場所候補を示すオブジェクト１５３１−２が含まれている。１つ目の受取場所候補を示すオブジェクト１５３１−１には、１つ目の受取場所候補が振込先の場所と同じであることが表示されている。一方、２つ目の受取場所候補を示すオブジェクト１５３１−２には、振込先の場所とは異なる場所であることが表示されている。例えば、購入者によって１つ目の受取場所候補を示すオブジェクト１５３１−１が選択された場合、受取場所には、１つ目の振込先地図座標が処理部３１２によって設定されてよい。一方、購入者によって２つ目の受取場所候補を示すオブジェクト１５３１−２が選択された場合、受取場所には、２つ目の受取場所候補が処理部３１２によって設定されてよい。
【００６２】
図９に戻って説明を続ける。制御部１１０は、購入者によって振込先を示すオブジェクトが選択されると、振込先に対応する振込先口座情報に基づく振込要求を、通信部１４０を介して地図振込管理システム３０に送信する。具体的に、振込要求には、振込先を示すオブジェクトが選択されたこと（例えば、選択されたオブジェクトに対応する振込先地図座標）が含まれてよい。その他、振込要求には、商品の受取場所、写真および文字情報も含められてよい（Ｓ３２）。
【００６３】
地図振込管理システム３０において、取得部３１１は、通信部３３０を介して振込要求を取得すると、実行制御部３１４は、（購入者によって選択されたオブジェクトに対応する振込先口座情報に基づいて振込が実行されるように制御する。具体的に、実行制御部３１４は、口座情報の確認要求（振込先口座情報を口座情報として含む）が通信部３４０によって銀行システム４０に送信されるように制御する（Ｓ３３）。銀行システム４０は、口座情報の確認要求を受信すると、確認要求から口座情報を取得し、取得した口座情報が顧客の口座情報として登録されているか否かを確認する。そして、銀行システム４０は、確認結果を地図振込管理システム３０に送信する。
【００６４】
地図振込管理システム３０において、取得部３１１は、通信部３３０を介して確認結果を取得すると（Ｓ３４）、送信制御部３１３は、確認結果によって、振込先口座情報が顧客の口座情報として登録されていることが示される場合、残高の確認要求が通信部３４０によって銀行システム４０に送信されるように制御する（Ｓ３５）。銀行システム４０は、残高の確認要求を受信すると、顧客の口座情報に振込金額以上の残高があるか否かを確認する。そして、銀行システム４０は、確認結果を地図振込管理システム３０に送信する。
【００６５】
地図振込管理システム３０において、取得部３１１は、通信部３３０を介して確認結果を取得すると（Ｓ３６）、処理部３１２は、確認結果によって、顧客の口座情報に振込金額以上の残高があることが示される場合、銀行システム４０によって振込が実行されるように銀行システム４０を制御する（Ｓ３７）。銀行システム４０においては、購入者に対応する振込元口座情報と、購入者によって指定されたオブジェクトに対応する振込先口座情報とに基づいて、振込元口座から振込先口座に振込金額に相当する額の振込を実行する。そして、銀行システム４０は、振込の実行結果を地図振込管理システム３０に送信する。
【００６６】
地図振込管理システム３０において、取得部３１１が、通信部３３０を介して実行結果を取得すると（Ｓ３８）、処理部３１２は、購入履歴３２３を更新する。図１３は、購入履歴３２３の構成例を示す図である。図１３に示されるように、購入履歴３２３は、購入日時と販売者ＩＤと購入者ＩＤと商品ＩＤと写真と文字情報と受取場所と決済ＩＤとが対応付けられて構成されている。また、処理部３１２は、購入日時と販売者ＩＤと購入者ＩＤと商品ＩＤと決済ＩＤとを対応付けて（必要に応じて、写真、文字情報および受取場所も対応付けて）購入履歴３２３に追加する。
【００６７】
（振込完了通知処理）
図１４は、振込完了通知処理の流れを示すシーケンス図である。図１４に示されるように、地図振込管理システム３０において、送信制御部３１３は、振込完了通知が販売者端末２０の地図アプリケーションに送信されるように通信部３３０を制御する（Ｓ４１）。かかる振込完了通知によって、受取場所、写真および文字情報も送信可能である。そして、販売者端末２０の地図アプリケーションによって振込完了通知が表示されれば（Ｓ４２）、販売者によって振込完了が把握され得る。それ以外にも、送信制御部３１３は、電子メールなどによって振込完了通知が販売者端末２０に送信されるように通信部３３０を制御してもよい（Ｓ４３）。
【００６８】
送信制御部３１３は、振込完了通知が電子メールなどによって購入者端末１０に送信されるように通信部３３０を制御する（Ｓ４４）。購入者端末１０の表示部１５０によって振込完了通知が表示されれば、購入者によって振込完了が把握され得る。また、振込完了通知は、商品との引換証としても利用され得る。振込完了通知には、どのような情報が含まれていてもよい。一例として、振込完了通知には、購入者が購入した商品の名称（商品名）、商品の個数、振込金額、決済ＩＤなどが含まれていてよい。
【００６９】
購入者は、操作部１２０を介して地図アプリケーションに振込後のメッセージを入力することもできる（Ｓ４５）。制御部１１０は、購入者によって入力された振込後のメッセージが地図振込管理システム３０に送信されるように通信部１４０を制御する（Ｓ４６）。地図振込管理システム３０において、取得部３１１は、通信部３３０を介して振込後のメッセージを取得すると、送信制御部３１３は、振込後のメッセージが販売者端末２０の地図アプリケーションに送信されるように通信部３３０を制御する（Ｓ４７）。販売者端末２０の地図アプリケーションによって振込後のメッセージが表示されれば（Ｓ４８）、販売者によって購入者によって入力された振込後のメッセージが把握され得る。
【００７０】
（商品の受取処理）
図１５は、商品の受取処理の流れを示すシーケンス図である。図１５に示されるように、購入者は、商品の受け取りをしようと考えた場合、指定した振込先の場所（購入者が受取場所を指定した場合には、受取場所）において、購入者端末１０によって表示された（引換証となり得る）振込完了通知を販売者に提示する（Ｓ５１）。例えば、振込完了通知には、決済ＩＤが記載されている。販売者が、振込情報（例えば、決済ＩＤ）を販売者端末２０の地図アプリケーションに入力すると（Ｓ５２）、制御部２１０は、振込情報が地図振込管理システム３０に送信されるように制御する（Ｓ５３）。
【００７１】
地図振込管理システム３０において、取得部３１１は、振込情報に対応する確認結果を取得し、送信制御部３１３は、確認結果が販売者端末２０の地図アプリケーションに返信されるように制御する。販売者端末２０において、制御部２１０は、確認結果を取得し（Ｓ５４）、確認結果が表示部１５０によって表示されるように制御する（Ｓ５５）。
【００７２】
例えば、確認結果は、決済ＩＤに対応する決済情報があるか否かであってもよい。決済ＩＤに対応する決済情報があれば、正常に決済が行われているため、販売者から購入者に商品の提供が行われる（Ｓ５６）。一方、決済ＩＤに対応する決済情報がなければ、正常に決済が行われていないため、販売者から購入者への商品の提供は行われない。決済情報には、どのような情報が含まれていてもよい。例えば、決済情報には、振込元（購入者）の口座名義などが含まれていてもよい。
【００７３】
以上、本発明の実施形態に係るシステムの動作例について説明した。
【００７４】
（２．ハードウェア構成例）
続いて、本発明の実施形態に係る地図振込管理システム３０のハードウェア構成例について説明する。以下では、本発明の実施形態に係る地図振込管理システム３０のハードウェア構成例として、情報処理装置９００のハードウェア構成例について説明する。なお、以下に説明する情報処理装置９００のハードウェア構成例は、地図振込管理システム３０のハードウェア構成の一例に過ぎない。したがって、地図振込管理システム３０のハードウェア構成は、以下に説明する情報処理装置９００のハードウェア構成から不要な構成が削除されてもよいし、新たな構成が追加されてもよい。
【００７５】
また、購入者端末１０および販売者端末２０それぞれのハードウェア構成も、地図振込管理システム３０のハードウェア構成と同様に実現され得る。
【００７６】
図１６は、本発明の実施形態に係る地図振込管理システム３０の例としての情報処理装置９００のハードウェア構成を示す図である。情報処理装置９００は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４と、ブリッジ９０５と、外部バス９０６と、インタフェース９０７と、入力装置９０８と、出力装置９０９と、ストレージ装置９１０と、通信装置９１１と、を備える。
【００７７】
ＣＰＵ９０１は、演算処理装置および制御装置として機能し、各種プログラムに従って情報処理装置９００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバス等から構成されるホストバス９０４により相互に接続されている。
【００７８】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス９０６に接続されている。なお、必ずしもホストバス９０４、ブリッジ９０５および外部バス９０６を分離構成する必要はなく、１つのバスにこれらの機能を実装してもよい。
【００７９】
入力装置９０８は、マウス、キーボード、タッチパネル、ボタン、マイクロフォン、スイッチおよびレバー等利用者が情報を入力するための入力手段と、利用者による入力に基づいて入力信号を生成し、ＣＰＵ９０１に出力する入力制御回路等から構成されている。情報処理装置９００を操作する利用者は、この入力装置９０８を操作することにより、情報処理装置９００に対して各種のデータを入力したり処理動作を指示したりすることができる。
【００８０】
出力装置９０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプ等の表示装置およびスピーカ等の音声出力装置を含む。
【００８１】
ストレージ装置９１０は、データ格納用の装置である。ストレージ装置９１０は、記憶媒体、記憶媒体にデータを記録する記録装置、記憶媒体からデータを読み出す読出し装置および記憶媒体に記録されたデータを削除する削除装置等を含んでもよい。ストレージ装置９１０は、例えば、ＨＤＤ（Ｈａｒｄ  Ｄｉｓｋ  Ｄｒｉｖｅ）で構成される。このストレージ装置９１０は、ハードディスクを駆動し、ＣＰＵ９０１が実行するプログラムや各種データを格納する。
【００８２】
通信装置９１１は、例えば、ネットワークに接続するための通信デバイス等で構成された通信インタフェースである。また、通信装置９１１は、無線通信または有線通信のどちらに対応してもよい。
【００８３】
以上、本発明の実施形態に係る地図振込管理システム３０の例としての情報処理装置９００のハードウェア構成例について説明した。
【００８４】
（３．まとめ）
以上に説明したように、本発明の実施形態によれば、地図上の位置情報と振込先情報とを対応付けて記憶する記憶部と、前記位置情報が表示制御システムに送信されるように制御する送信制御部と、前記位置情報に基づき前記表示制御システムの地図上に振込先を示すオブジェクトが表示され、利用者によって前記振込先を示すオブジェクトが選択されると、前記位置情報に対応付けられた前記振込先情報に基づいて振込が実行されるように制御する実行制御部と、を備える、振込制御システムが提供される。
【００８５】
かかる構成によれば、振込先をより直感的に指定することが可能となる。さらに、かかる構成によれば、購入者は振込を行う前に地図上で振込先を確認することができるため、より安心して振込を行うことが可能となる。
【００８６】
また、本発明の実施形態によれば、購入者が、地図上において商品を指定することができる。これによって、購入者および販売者の利便性が向上する。さらに、本発明の実施形態によれば、購入者が、地図上において商品の受取場所を指定することができる、これによって、購入者および販売者の利便性が向上する。また、購入者は、商品の購入時に写真および文字情報を入力し、販売者は、入力された写真および文字情報を閲覧することができるため、購入者および販売者の利便性が向上する。本発明の実施形態によれば、振込完了通知が、商品との引換証としても利用され得る。これによって、販売者は、正常に振込が行われた購入者に対して商品を提供することが可能となる。
【００８７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８８】
１      システム
１０    購入者端末
１１０  制御部
１２０  操作部
１３０  記憶部
１３１  地図アプリケーション
１４０  通信部
１５０  表示部
２０    販売者端末
２１０  制御部
２２０  操作部
２３０  記憶部
２３１  地図アプリケーション
２４０  通信部
２５０  表示部
３０    地図振込管理システム
３１０  制御部
３１１  取得部
３１２  処理部
３１３  送信制御部
３１４  実行制御部
３２０  記憶部
３２１  購入者情報
３２２  販売者情報
３２３  購入履歴
３３０  通信部
３４０  通信部
４０    銀行システム
５０    ネットワーク
【図１】
2020140387.tif 000003
【図２】
2020140387.tif 000004
【図３】
2020140387.tif 000005
【図４】
2020140387.tif 000006
【図５】
2020140387.tif 000007
【図６】
2020140387.tif 000008
【図７】
2020140387.tif 000009
【図８】
2020140387.tif 000010
【図９】
2020140387.tif 000011
【図１０】
2020140387.tif 000012
【図１１】
2020140387.tif 000013
【図１２】
2020140387.tif 000014
【図１３】
2020140387.tif 000015
【図１４】
2020140387.tif 000016
【図１５】
2020140387.tif 000017
【図１６】
2020140387.tif 000018